(57)【要約】【課題】レーベルを印刷するに際して、アンバランス量を適正に抑制することが可能な情報記録媒体のレーベル印刷装置を提供する。【解決手段】情報記録媒体Ｄにレーベルの図柄と所定のインク濃度とにより印刷する印刷部１４を備えたレーベル印刷装置において、レーベルの図柄とインク濃度を記憶する記憶部４と、レーベルの図柄とインク濃度とを選択入力できる入力部６と、選択された図柄及びインク濃度とから情報記録媒体の回転動作時のアンバランス量を求めるアンバランス量演算部８と、アンバランス量と基準値とを比較して良否を判断して出力する比較部１０と、比較部の良否結果を表示する表示部１２と、表示部に表示された結果が良である場合には、印刷部に出力し、表示部に表示された結果が否である場合には、作業者により、又は自動的にインク濃度や図柄を変える信号を入力部に出力して、表示部に表示された結果が良となるまで繰り返す。【選択図】  図１
2004265509.tif 000002
【特許請求の範囲】
【請求項１】
情報記録媒体にレーベルの図柄と所定のインク濃度とにより印刷する印刷部を備えたレーベル印刷装置において、
前記レーベルの図柄とインク濃度を記憶する記憶部と、
前記レーベルの図柄とインク濃度とを選択入力できる入力部と、
前記入力部で選択された図柄及びインク濃度とから前記情報記録媒体の回転動作時の安定度を示すアンバランス量を求めるアンバランス量演算部と、
前記アンバランス量と予め定められた基準値とを比較して良否を判断して、その結果を出力する比較部と、
前記比較部から出力される良否結果を表示する表示部と、
前記表示部に表示された結果が良である場合には、作業者の操作によるか、又は自動的に前記印刷部に出力し、
前記表示部に表示された結果が否である場合には、作業者の操作によるか、又は自動的に前記インク濃度を変える信号、或いは前記図柄を変える信号を前記入力部に出力して、前記表示部に表示された結果が良となるまで繰り返すことを特徴とする情報記録媒体のレーベル印刷装置。
【請求項２】
前記図柄にはアンバランス量が調整されたことを示すマークが含まれることを特徴とする請求項１記載の情報記録媒体のレーベル印刷装置。
【発明の詳細な説明】
【０００１】
【発明の属する技術分野】
本発明は、光ディスクなどの円盤状やカード状の情報記録媒体の表面にレーベルを印刷する情報記録媒体のレーベル印刷装置に関する。
【０００２】
【従来の技術】
一般に、光ディスクなどの円盤状やカード状の情報記録媒体には、その表面に記録情報の内容等を表示するためのレーベルが印刷される。そして、ＣＤ−Ｒ、ＣＤ−ＲＷ、ＤＶＤ−Ｒ、ＤＶＤ±ＲＷ等の１２ｃｍ盤の光ディスクは、作業者等の手元で記録再生できるディスクとして広く使用されており、このような状況下にて、最近にあっては上記光ディスクに対しても作業者がレーベルを直接的に印刷できるようにしたレーベル印刷装置の機能を有する家庭用のプリンタが発売されている。
【０００３】
ところで、音楽情報や映像情報を記録再生する光ディスクと比較してデータを記録再生する光ディスクは、規格書で規定されている記録スピード（線速度、回転数）、再生スピード（線速度、回転数）よりも大きな（早い）スピードで記録再生される事が多い。一例としてＣＤ−Ｒでは再生時に６０００ｒｐｍ程度でディスクを回転させる場合も有る。これはＣＤ−Ｒ規格が決められた当初の基準回転数と比べて約１０倍の回転数に相当する。ここで光ディスクのアンバランス質量をｍ、腕の長さをｒ、ディスクの回転角速度をωとすると、発生するアンバランス力は、ｍｒω２  なので、前記例の様に回転数が１０倍の際には、基準線速度（回転数）時と比べてアンバランス力は１００倍となる。
【０００４】
ＤＶＤ規格ではディスクは基準線速度での動作を考慮してアンバランス量のスペックが規定されており、典型値としてＤＶＤ規格の例では０．０１ｇ・ｍを最大値としている。ＤＶＤでは５倍速程度の高速な記録再生が所望される回転速度の範囲であり、このとき基準回転数時と比べてアンバランス力は２５倍となる。従って、５倍速時に重点を置いてバランス量を定量化するとディスクのアンバランス量は最大値として０．４ｍｇ・ｍ（＝１０ｍｇ／２５）が好ましい数値になる。この値は随分小さいので、ディスクを高速で記録再生するときはそのアンバランス量を十分注意して規定値以下に収まるようにする必要が有る。その理由は、アンバランス量が大き過ぎると、ディスクの回転動作時に異常な振動等が発生して記録・再生動作が不安定になる場合が生ずるからである。
【０００５】
このアンバランスの要因は、ディスクのセンタ穴の偏芯、センタ穴の角の片減り、ＤＶＤ盤の張り合わせ時のずれ等が主なものである。これらはそれぞれについて改良が重ねられ、当初と比べてアンバランスに寄与する量としては減少しつつある。このように従来から注目されているアンバランス量が減ってきたときに、従来は相対的に小さかったが近年以降は相対的に大きくなった要因として、ディスクのレーベルとして印刷されるインクの重量が挙げられる。そして、このインクの重量を調整するパターンをディスク面に設ける技術が特許文献１に示されている。
【０００６】
【特許文献１】
特開２０００−３３９９１６号
【０００７】
【発明が解決しようとする課題】
しかしながら、この特許文献１の技術では、偏重心量を調整するために、新しい重心調整用パターンについて考慮されているだけであり、それ以上については何ら考慮していないのが現状であった。
本発明は、以上のような問題点に着目し、これを有効に解決すべく創案されたものである。本発明の目的は、レーベルを印刷するに際して、アンバランス量を適正に抑制することが可能な情報記録媒体のレーベル印刷装置を提供することにある。
【０００８】
【課題を解決するための手段】
請求項１に係る発明によれば、情報記録媒体にレーベルの図柄と所定のインク濃度とにより印刷する印刷部を備えたレーベル印刷装置において、前記レーベルの図柄とインク濃度を記憶する記憶部と、前記レーベルの図柄とインク濃度とを選択入力できる入力部と、前記入力部で選択された図柄及びインク濃度とから前記情報記録媒体の回転動作時の安定度を示すアンバランス量を求めるアンバランス量演算部と、前記アンバランス量と予め定められた基準値とを比較して良否を判断して、その結果を出力する比較部と、前記比較部から出力される良否結果を表示する表示部と、前記表示部に表示された結果が良である場合には、作業者の操作によるか、又は自動的に前記印刷部に出力し、前記表示部に表示された結果が否である場合には、作業者の操作によるか、又は自動的に前記インク濃度を変える信号、或いは前記図柄を変える信号を前記入力部に出力して、前記表示部に表示された結果が良となるまで繰り返すことを特徴とする情報記録媒体のレーベル印刷装置である。
この場合、例えば請求項２に規定するように、前記図柄にはアンバランス量が調整されたことを示すマークが含まれる。
【０００９】
【発明の実施の形態】
以下に、本発明の情報記録媒体のレーベル印刷装置の実施の形態について説明する。
図１は本発明の情報記録媒体のレーベル印刷装置を示すブロック構成図、図２及び図３は印刷されるべきレーベルの一例を示す構成図である。
図１に示すように、この情報記録媒体のレーベル印刷装置２は、複数種類のレーベルと印刷時の各種のインク濃度とを記憶する記憶部４と、作業者が印刷すべきレーベルの図柄とそのインク濃度を選択するための入力部６と、上記選択されたレーベルの図柄とその時のインク濃度とからアンバランス量を求めるためのアンバランス量演算部８と、ここで求められたアンバランス量と予め定められた基準値とを比較して良否を判断する比較部１０と、この比較結果を表示する表示部１２と、上記判断結果が良の時にその図柄とインク濃度でもって情報記録媒体、例えば光ディスクＤの表面にレーベルを印刷する印刷部１４とにより主に構成されている。尚、上記比較部の判断結果が否定的なときには、例えばインク濃度等を変更するように作業者に対して指示することになる。
【００１０】
上記記憶部４、上記アンバランス量演算部８及び上記比較部１０は、例えばパーソナルコンピュータＰＣ中に含まれている。そして、上記アンバランス量演算部８及び上記比較部１０の機能は、上記パーソナルコンピュータＰＣの制御部１６内に含まれ、プログラム的に処理される。上記制御部１６及び記憶部４は上記パーソナルコンピュータＰＣのバス１８に接続される。また、上記入力部６、表示部１２及び印刷部１４は、それぞれ入力インタフェース２０、表示インタフェース２２及び印刷インタフェース２４を介してバス１８に接続される。また、上記入力部６としては、テンキー群６Ａやマウス６Ｂ等を有している。上記基準値は複数種類用意されて上記記憶部４に記憶されており、作業者の入力パラメータにより適正な基準値が選択される。
【００１１】
ここでレーベル印刷時に求められるアンバランス量について具体的に説明する。例えば光ディスクとしてＤＶＤを例にとれば、ＤＶＤに関しては先に述べたように高速回転時に於いて考慮すべきアンバランス量の最大値は０．４ｍｇ・ｍが好ましい数値であり、ここにおいて印刷が担ってよいアンバランス量は、この値の１／１０程度を基準に割振ることが出来ると考えられるので（９／１０は他の要因のアンバランス量）、レーベル印刷によるアンバランス量の最大値は０．０４ｍｇ・ｍとなる。更に解り易くはアンバランス量の最大値は１ｍｇ・４ｃｍであり、この値は非常に小さく、レーベルの印刷の厚みによっても異なるが、１ｍｇはディスクレーベル面の０．１乃至０．５倍の面積に印刷する印刷インクの乾燥重量に概ね対応し、レーベル印刷を行う際に不注意な図柄の選択を防止してこのような微量な重量をコントロールすることによりアンバランス量が過度になることを防ぐ必要がある。
【００１２】
具体的には、情報記録媒体にレーベルを印刷する際に、印刷されるべきレーベルの図柄に関してインクの重量のアンバランス量を求め、このアンバランス量の値が規格書で定める基準値の例えば１／１００、或いは１／１０を上回ったならば、バランスさせる方向へインクの射出量を調節する。換言すれば、レーベル印刷を実施した際のアンバランス量を前もって計算し、その値が予め設定してあるアンバランス量を越えた場合にレーベルのインク濃度や図柄を修正する。
ここでアンバランス量の計算方法について説明する。図２はレーベルの図柄の一例を示す平面図である。この図２を参照してアンバランス量を求めるための一般化された式を説明する。ここではレーベルを印刷すべき光ディスクの直径を１２ｃｍであると仮定する。
【００１３】
まず、印刷インクの重心を求める。そのために図２（Ａ）に示すように、ディスク印刷面上の１ｍｍ角で区切られて整数座標であらわす事の出来る任意の点Ｐｉｊ（正確には正方形の区画）の印刷インクの質量をｍｉｊとして全質量Ｍを求める。ここでｉ、ｊは−６０から＋６０ｍｍまでの１ｍｍ刻みに対応する整数であり、当該１ｍｍ角の点Ｐｉｊの２次元座標を（ｘｉ、ｙｉ）とし、ディスクの中心点の座標は（０、０）とする。
従って、ディスクの重心に集まる質量Ｍは、以下の式で求められる。
Ｍ＝ΣΣｍｉｊ
また、重心Ｍのｘ座標はＸ＝（１／Ｍ）・（ΣΣｍｉｊ×ｘｉ）
であり、重心Ｍのｙ座標はＹ＝（１／Ｍ）・（ΣΣｍｉｊ×ｙｉ）
であらわされる。
【００１４】
次に、アンバランスを引き起こす腕の長さはディスクの中心から重心Ｍまでの距離Ｌであるので、以下の式で求められる。
Ｌ＝（Ｘ２  ＋Ｙ２  ）１／２
以上よりアンバランス量は”Ｍ・Ｌ”となる。
以上でＭ・Ｌを図形に対応させて求める事ができる。
上記のようにして求めたアンバランス量Ｍ・ＬをＤＶＤ規格の０．０１ｍ・ｇの例えば１／１００或いは１／１０の値である所定の基準値、例えば１／１０である０．００１ｍ・ｇと比較して、これよりも大きかったらアンバランス量を減らすような処理、具体的にはインク濃度を小さくしたり、或いは図柄自体を変更したりする。例えば図２においては、ディスクの半面側に”ＴＥＳＴ  ＤＩＳＣ”の文字とこの半面全体の領域Ａ１に特定の色インキを印刷する図柄の例を示している。図２（Ａ）の領域Ａ１にはインク濃度の高い印刷を施した状態（ベタ塗り）を示し、図２（Ｂ）は領域Ａ１にインク濃度の低い印刷を施した例を示している。
【００１５】
また図３（Ａ）においては、ディスクの半面側に”ＴＥＳＴ  ＤＩＳＣ”の文字のみを印刷する図柄を示し（領域Ａ１のベタ塗りなし）、図３（Ｂ）においては、図２（Ｂ）の半面側の図柄を、他方の半面側にも同様に配置して全体として対称となるような図柄を示している（全面ベタ塗り）。
【００１６】
次に、上記レーベル印刷装置で行われる動作を、図４も参照して具体的に説明する。図４はレーベル印刷の手順を説明するためのフローチャートである。
まず、作業者は、入力部６より初期パラメータを入力する（Ｓ１）。この初期パラメータはレーベルを印刷すべきディスクの用途や基準レベル等である。ディスクの用途としては音楽や映像用ディスクやデータ用ディスク等があり、前者は通常の線速度（通常の回転数）で使用され、後者は高線速度（高回転数）で使用される。また、基準レベルは基準値として標準の基準値（例えば規格の最大アンバランス量の１／１０）を用いるか、或いは厳しい基準値（例えば規格の最大アンバランス量の１／１００）を用いるかを選択することができる。尚、この初期パラメータは、レーベル印刷を行う時にその都度行うようにしてもよいし、或いは一度設定したならば特別の操作をしない限り固定されるようにしてもよい。
【００１７】
次に、作業者は印刷すべきレーベルの図柄及びそのインク濃度を入力する（Ｓ２）。この時の図柄やインク濃度（単位面積当たりのインク濃度）の種類は記憶部４に予め記憶されており、これより作業者が選択する。ここで図柄とは、図２にて説明したように文字や所定の領域のベタ塗りのような広義の概念である。また、インク濃度の種類には、インク濃度が高い順に、ファイン、サブファイン、ノーマル、サブエコノミー、エコノミーのようなものがあるが、その種類の数は特定されない。尚、インク濃度や図柄は予め標準となるものを定めておいて、これを作業者が承認する時には”承認”の入力を行い、承認しない時に所望するインク濃度や図柄を入力するようにしてもよい。
【００１８】
このようにして、図柄とインク濃度とが入力されたならば、制御部１６のアンバランス量演算部８は、先に説明したような方法で印刷インキの重心Ｍ（座標も含む）を求め（Ｓ３）、更に、この重心Ｍ（座標も含む）に基づいて、この時のレーベルのアンバランス量Ｍ・Ｌを求める（Ｓ４）。
【００１９】
次に、制御部１６の比較部１０は、上記求めたアンバランス量Ｍ・Ｌと先のＳ１で定められた基準値とを比較し、その良否の判断を行う（Ｓ５）。そして、この判断の結果は表示部１２に表示され（Ｓ６）、作業者はこの判断結果を見てアンバランス量が基準値以下の場合には（Ｓ５のＹＥＳ）、”確定”の入力を行ってその内容を確定し（Ｓ７）、すると上記印刷部１４が上記確定された図柄とインク濃度で光ディスクＤにレーベルを印刷することになる（Ｓ８）。
これに対して、Ｓ５においてＮＯの場合、すなわち、アンバランス量が基準値よりも大きい場合にはその旨を同じく表示部１２に表示する（Ｓ９）。そして、次にＳ２に戻ってこの表示を見た作業者は、図柄を変えたり、或いは図柄を変えないでインク濃度のみを変更するように入力し（Ｓ２）、アンバランス量について再度検討を行う。
【００２０】
以下、同様の操作をＳ５においてＹＥＳになるまで連続して繰り返し行うことになる。例えば図２（Ａ）は半面側のインク濃度が高過ぎてアンバランス量が基準値を越えて大きい場合を示し、図２（Ｂ）及び図３（Ａ）、図３（Ｂ）はアンバランス量が基準値以下となって良好な場合を示している。この時の図柄やインク濃度は作業者が任意に選択できるのは前述した通りである。
また、上記実施例では、Ｓ５の判断結果がＮＯの場合には、インク濃度をその都度、作業者が変更入力したが、これに限定されず、インク濃度を高い方から低い方へ自動的に順次に変更したり、或いは図柄も自動的に変更したりするようなルーチンとしてもよい。
【００２１】
また、このようにアンバランス量が検討されて合格した場合には、図５に示すようにアンバランス量が調整された高品質なディスクであることを示すマーク、例えば”Ｂ・Ａｊｄ”の小さい文字を印刷するようにしてもよい。この場合には”Ｂ・Ａｊｄ”の文字も予め図柄として含まれ、この部分のインク重量もアンバランス量の演算の時に加味されるのは勿論である。
【００２２】
【発明の効果】
以上説明したように、本発明の情報記録媒体のレーベル印刷装置によれば、情報記録媒体にレーベルを印刷する際にアンバランス量を適正に抑制することができる。
【図面の簡単な説明】
【図１】本発明の情報記録媒体のレーベル印刷装置を示すブロック構成図である。
【図２】印刷されるべきレーベルの一例を示す構成図である。
【図３】印刷されるべきレーベルの他の一例を示す構成図である。
【図４】レーベル印刷の手順を説明するためのフローチャートである。
【図５】アンバランス量が調整されたことを示すマークが印刷されたレーベルの一例を示す図である。
【符号の説明】
２…レーベル印刷装置、４…記憶部、６…入力部、８…アンバランス量演算部、１０…比較部、１２…表示部、１４…印刷部、１６…制御部、Ｄ…光ディスク（情報記録媒体）。
【図１】
2004265509.tif 000003
【図２】
2004265509.tif 000004
【図３】
2004265509.tif 000005
【図４】
2004265509.tif 000006
【図５】
2004265509.tif 000007